(57)【要約】  容易に入力された文字又は数字を変換して、アプリケーションに利用することが可能な電子機器及びその制御方法を提供すること。制御部は、入力操作キーの操作により文字が入力され、入力された入力文字がメモリに記憶された所定の文字の少なくとも一部であると判断された場合に、入力文字の表示部への表示を維持すると共に、所定の文字に対応付けられる所定の数字を表示部に表示させる。そして、制御部は、表示部に入力文字及び所定の数字が表示された状態で、入力文字及び所定の数字に関連するアプリケーションの起動指示がされると、入力文字又は所定の数字のいずれか一方を入力させた状態でアプリケーションを起動させる。
2011158896.tif 000002
【特許請求の範囲】
【請求項１】
文字が割り当てられる操作キーと、
表示部と、
所定の文字と所定の数字とを対応付けて記憶する記憶部と、
前記操作キーの操作により当該操作キーに割り当てられる文字が入力文字として入力されて前記表示部に表示され、当該入力文字が前記記憶部に記憶された前記所定の文字の少なくとも一部であると判断された場合に、前記入力文字の前記表示部への表示を維持すると共に、前記所定の文字に対応付けられる前記所定の数字を前記表示部に表示させる制御部と、を有し、
前記制御部は、前記表示部に前記入力文字及び前記所定の数字が表示された状態で、前記入力文字又は前記所定の数字に関連するアプリケーションの起動指示がされると、前記入力文字又は前記所定の数字のいずれか一方を入力させた状態で前記アプリケーションを起動させる電子機器。
【請求項２】
前記操作キーは、一のキーに対して文字の他に数字が割り当てられ、
前記制御部は、前記操作キーが操作されると、当該操作キーに割り当てられる文字及び数字をそれぞれ入力文字及び入力数字として入力して前記表示部に表示させる請求項１に記載の電子機器。
【請求項３】
前記制御部は、前記入力文字が前記記憶部に記憶された前記所定の文字の少なくとも一部であると判断された場合に、前記操作キーの操作により入力されて表示された前記入力数字の表示に代えて、前記所定の数字を表示させる請求項２に記載の電子機器。
【請求項４】
前記記憶部は、予め登録可能な登録文字をさらに記憶し、
前記制御部は、前記操作キーの操作により入力された前記入力文字が前記記憶部に記憶された前記登録文字と一致する場合に、入力された前記入力文字の表示を継続し、入力された前記入力数字の表示を解除する請求項２に記載の電子機器。
【請求項５】
前記制御部は、前記操作キーの操作により入力された前記入力数字が前記記憶部に記憶された前記所定の数字と一致する場合に、当該所定の数字と対応付けて記憶されている前記所定の文字を検索し、検索された前記所定の文字を前記操作キーの操作により入力された前記表示部の前記入力文字の表示に代えて表示させる請求項２に記載の電子機器。
【請求項６】
前記制御部は、前記操作キーの操作により入力文字及び入力数字が入力され、当該入力文字の一部が前記記憶部に記憶された前記所定の文字の少なくとも一部であると判断された場合に、前記入力文字の一部と共に入力された入力数字の表示を解除し、前記記憶部において前記所定の文字に対応付けて記憶されている前記所定の数字を、前記表示部に表示されている前記入力数字の先頭に表示させる請求項３に記載の電子機器。
【請求項７】
前記制御部は、前記表示部に表示されている前記入力文字又は前記所定の数字のいずれかを選択可能とし、選択された前記入力文字又は前記所定の数字を入力させた状態で前記アプリケーションを起動させる請求項１に記載の電子機器。
【請求項８】
前記表示部の表面に対応して配され、前記表示部への接触を検出する検出部をさらに備え、
前記操作キーは、前記表示部に表示され、
前記検出部は、前記表示部への接触に応じて前記操作キーによる操作を検出する請求項１に記載の電子機器。
【請求項９】
前記制御部は、前記表示部に標準画面が表示されている状態で、前記操作キーによる操作を受け付ける請求項１に記載の電子機器。
【請求項１０】
前記記憶部に記憶される前記所定の文字は、国名又は地域名であり、
前記記憶部に記憶される前記所定の数字は、国番号又は地域番号である請求項１に記載の電子機器。
【請求項１１】
前記所定の文字は、前記記憶部のアドレス帳に登録される名称であり、前記所定の数字は、前記アドレス帳に前記名称と対応付けて登録される電話番号である請求項１に記載の電子機器。
【請求項１２】
前記所定の数字に関連するアプリケーションとは、電話アプリケーションである請求項１に記載の電子機器。
【請求項１３】
操作部の操作により入力文字を入力するステップと、
入力された前記入力文字が記憶部に記憶された所定の文字の少なくとも一部であるか否かを判断するステップと、
入力された前記入力文字が前記記憶部に記憶された前記所定の文字の少なくとも一部であると判断された場合に、前記入力文字の表示部への表示を維持すると共に、前記記憶部において前記所定の文字に対応付けて記憶される前記所定の数字を前記表示部に表示させるステップと、
前記表示部に少なくとも前記入力文字及び前記所定の数字が表示された状態で、前記入力文字及び前記所定の数字に関連するアプリケーションの起動指示がされると、少なくとも前記入力文字又は前記所定の数字のいずれか一方を入力させた状態で前記アプリケーションを起動させるステップとを備える電子機器の制御方法。
【発明の詳細な説明】
【技術分野】
【０００１】
本発明は、文字及び数字を入力可能な電子機器及びその制御方法に関する。
【背景技術】
【０００２】
従来、携帯電話機等の電子機器は、文字及び数字を入力可能な操作キーを有し、文字を入力する文字入力モードと数字を入力する数字入力モードとを切り替えることにより、文字及び数字の入力を行っている。【０００３】
このような電子機器の一例として、国際電話を掛ける際に、文字入力モードにより国名を入力し、続いて数字入力モードにより電話番号を入力すると、入力された国名をこの国名に対応する国番号に変換して、電話を発信する電子機器が提案されている（特許文献１参照）。
【先行技術文献】
【特許文献】
【０００４】
【特許文献１】特開平１１−３４１１３９号公報
【発明の概要】
【発明が解決しようとする課題】
【０００５】
しかし、特許文献１に記載の電子機器では、国名を入力する際に文字入力モードに設定し、電話番号を入力する際に数字入力モードに設定するため、入力モードの切り替えが必要となり、操作が煩雑になるおそれがあった。【０００６】
本発明は、容易に入力された文字又は数字を変換して、アプリケーションに利用することが可能な電子機器及びその制御方法を提供することを目的とする。
【課題を解決するための手段】
【０００７】
本発明に係る電子機器は、上記課題を解決するために、文字が割り当てられる操作キーと、表示部と、所定の文字と所定の数字とを対応付けて記憶する記憶部と、前記操作キーの操作により当該操作キーに割り当てられる文字が入力文字として入力されて前記表示部に表示され、当該入力文字が前記記憶部に記憶された前記所定の文字の少なくとも一部であると判断された場合に、前記入力文字の前記表示部への表示を維持すると共に、前記所定の文字に対応付けられる前記所定の数字を前記表示部に表示させる制御部と、を有し、前記制御部は、前記表示部に前記入力文字及び前記所定の数字が表示された状態で、前記入力文字又は前記所定の数字に関連するアプリケーションの起動指示がされると、前記入力文字又は前記所定の数字のいずれか一方を入力させた状態で前記アプリケーションを起動させる。【０００８】
また、前記操作キーは、一のキーに対して文字の他に数字が割り当てられ、前記制御部は、前記操作キーが操作されると、当該操作キーに割り当てられる文字及び数字をそれぞれ入力文字及び入力数字として入力して前記表示部に表示させることが好ましい。【０００９】
また、前記制御部は、前記入力文字が前記記憶部に記憶された前記所定の文字の少なくとも一部であると判断された場合に、前記操作キーの操作により入力されて表示された前記入力数字の表示に代えて、前記所定の数字を表示させることが好ましい。【００１０】
また、前記記憶部は、予め登録可能な登録文字をさらに記憶し、前記制御部は、前記操作キーの操作により入力された前記入力文字が前記記憶部に記憶された前記登録文字と一致する場合に、入力された前記入力文字の表示を継続し、入力された前記入力数字の表示を解除することが好ましい。【００１１】
また、前記制御部は、前記操作キーの操作により入力された前記入力数字が前記記憶部に記憶された前記所定の数字と一致する場合に、当該所定の数字と対応付けて記憶されている前記所定の文字を検索し、検索された前記所定の文字を前記操作キーの操作により入力された前記表示部の前記入力文字の表示に代えて表示させることが好ましい。【００１２】
また、前記制御部は、前記操作キーの操作により入力文字及び入力数字が入力され、当該入力文字の一部が前記記憶部に記憶された前記所定の文字の少なくとも一部であると判断された場合に、前記入力文字の一部と共に入力された入力数字の表示を解除し、前記記憶部において前記所定の文字に対応付けて記憶されている前記所定の数字を、前記表示部に表示されている前記入力数字の先頭に表示させることが好ましい。【００１３】
また、前記制御部は、前記表示部に表示されている前記入力文字又は前記所定の数字のいずれかを選択可能とし、選択された前記入力文字又は前記所定の数字を入力させた状態で前記アプリケーションを起動させることが好ましい。【００１４】
また、前記電子機器は、前記表示部の表面に対応して配され、前記表示部への接触を検出する検出部をさらに備え、前記操作キーは、前記表示部に表示され、前記検出部は、前記表示部への接触に応じて前記操作キーによる操作を検出することが好ましい。【００１５】
また、前記制御部は、前記表示部に標準画面が表示されている状態で、前記操作キーによる操作を受け付けることが好ましい。【００１６】
また、前記記憶部に記憶される前記所定の文字は、国名又は地域名であり、前記記憶部に記憶される前記所定の数字は、国番号又は地域番号であることが好ましい。【００１７】
また、前記所定の文字は、前記記憶部のアドレス帳に登録される名称であり、前記所定の数字は、前記アドレス帳に前記名称と対応付けて登録される電話番号であることが好ましい。【００１８】
また、前記所定の数字に関連するアプリケーションとは、電話アプリケーションであることが好ましい。【００１９】
本発明に係る電子機器の制御方法は、上記課題を解決するために、操作部の操作により入力文字を入力するステップと、入力された前記入力文字が記憶部に記憶された所定の文字の少なくとも一部であるか否かを判断するステップと、入力された前記入力文字が前記記憶部に記憶された前記所定の文字の少なくとも一部であると判断された場合に、前記入力文字の表示部への表示を維持すると共に、前記記憶部において前記所定の文字に対応付けて記憶される前記所定の数字を前記表示部に表示させるステップと、前記表示部に少なくとも前記入力文字及び前記所定の数字が表示された状態で、前記入力文字及び前記所定の数字に関連するアプリケーションの起動指示がされると、少なくとも前記入力文字又は前記所定の数字のいずれか一方を入力させた状態で前記アプリケーションを起動させるステップとを備える。
【発明の効果】
【００２０】
本発明によれば、容易に入力された文字又は数字を変換して、アプリケーションに利用することが可能な電子機器及びその制御方法を提供することができる。
【図面の簡単な説明】
【００２１】
【図１】本実施形態に係る携帯電話機の外観斜視図を示す。
【図２】本実施形態に係る携帯電話機の機能を示す機能ブロック図である。
【図３】本実施形態に係るキーアサインについて説明するための図である。
【図４】本実施形態に係る制御部の機能を示す機能ブロック図である。
【図５】本実施形態に係る表示部に表示される画面遷移例を示す図である。
【図６】メモリに記憶されている辞書テーブルの一例を示す図である。
【図７】本実施形態に係る表示部に表示される画面遷移の他の例（１）を示す図である。
【図８】本実施形態に係る表示部に表示される画面遷移の他の例（２）を示す図である。
【図９】本実施形態に係る表示部に表示される画面遷移の他の例（３）を示す図である。
【図１０】本実施形態に係る表示部に表示される画面遷移の他の例（４）を示す図である。
【図１１】本実施形態に係る携帯電話機の内部処理について示すフローチャート（１）である。
【図１２】本実施形態に係る携帯電話機の内部処理について示すフローチャート（２）である。
【図１３】本実施形態に係る携帯電話機の内部処理について示すフローチャート（３）である。
【図１４】本実施形態に係る英語表記により表示部に表示される画面遷移の他の例（１）を示す図である。
【図１５】本実施形態に係る英語表記により表示部に表示される画面遷移の他の例（２）を示す図である。
【図１６】本実施形態に係る英語表記により表示部に表示される画面遷移の他の例（３）を示す図である。
【図１７】本実施形態に係る英語表記により表示部に表示される画面遷移の他の例（４）を示す図である。
【図１８】本実施形態に係る英語表記により表示部に表示される画面遷移の他の例（５）を示す図である。
【発明を実施するための形態】
【００２２】
図１は、本発明に係る電子機器の一実施形態である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でもよい。
【００２３】
携帯電話機１は、操作部側筐体部２と、表示部側筐体部３と、を備える。操作部側筐体部２は、表面部１０に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメールの文字等を入力するための入力操作キー１４と、各種操作における決定やスクロール等を行う決定操作キー１５と、から構成されている。なお、機能設定操作キー１３、入力操作キー１４及び決定操作キー１５は、表示部２１と一体に形成されたタッチパネル上に配置するように構成してもよい。機能設定操作キー１３、入力操作キー１４及び決定操作キー１５は、表示部２１と一体に形成されたタッチパネル上に配置されている場合は、タッチパネルに対する接触を検出する検出部をさらに備える。検出部はタッチパネルに対する接触に応じて種々の操作を検出する。
【００２４】
また、表示部側筐体部３は、表面部２０に、各種情報を表示するための表示部２１と、通話の相手側の音声を出力するレシーバ２２と、を備える。
【００２５】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２６】
図２は、携帯電話機１の機能を示す機能ブロック図である。携帯電話機１は、例えば、図２に示すように、操作部１１（入力部）と、マイク１２と、メインアンテナ４０と、ＲＦ回路部４１と、表示制御部４２と、音声処理部４３と、メモリ４４と、制御部４５と、が操作部側筐体部２に備えられる。携帯電話機１は、表示部２１と、レシーバ２２と、ドライバＩＣ２３と、が表示部側筐体部３に備えられている。
【００２７】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００２８】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置（基地局）に送信する。また、その一方で、ＲＦ回路部４１は、メインアンテナ４０によって受信している信号の強度を制御部４５へ通知を行う。
【００２９】
表示制御部４２は、制御部４５の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００３０】
音声処理部４３は、制御部４５の制御にしたがって、ＲＦ回路部４１から供給された信号に対して所定の音声処理を行い、処理後の信号をレシーバ２２又はスピーカ（図示せず）に出力する。レシーバ２２又はスピーカは、音声処理部４３から供給された信号を外部に出力する。
【００３１】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３２】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００３３】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
なお、操作部１１が表示部２１と一体に形成されたタッチパネル上に配置されている場合は、各操作キー（タッチキー）の表示を割り当てられる記号や機能に応じて変化させる。
【００３４】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００３５】
なお、記号の処理の実行とは、例えば、現在アクティブになっているアプリケーションがメモ帳の場合には、「１」や「あ」を入力文字として入力して表示部２１に表示することを意味している。また、機能の処理の実行とは、例えば、現在アクティブになっているアプリケーションがテレビの場合に、表示チャンネルを１ｃｈに設定することを意味している。
【００３６】
また、メモリ４４には、複数のキーアサインテーブルが格納されている。制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３７】
このように構成される携帯電話機１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、通信の待ち受け状態において、キー操作が行われた場合に、当該キーに割り当てられている複数の記号のうち、一の記号（例えば、文字）を表示してもよい。
【００３８】
また、携帯電話機１は、操作部１１により入力された文字の変換候補あるいは、次に続く予測候補を表示させると機能を有する。さらに、携帯電話機１は、これらの変換候補あるいは予測候補が選択されることにより、アプリケーション名又はアプリケーションに関する処理内容を示す文字列が入力された場合には、このアプリケーションを実行する機能を有している。
【００３９】
ここで、上述した機能を発揮するための構成について説明する。携帯電話機１の制御部４５は、図４に示すように、文字入力部５０と、アプリケーション実行部５１と、設定制御部５２と、を備える。
【００４０】
文字入力部５０は、ユーザによりキー操作が行われた場合に、当該キーに割り当てられている文字を表示させるように、表示制御部４２を制御する。また、文字入力部５０は、入力された文字に対する変換候補あるいは予測候補をメモリ４４から抽出し、表示制御部４２を介して表示部２１に表示させる。
【００４１】
なお、メモリ４４には、変換候補や予測候補が記憶され、かつ、管理されている予測ＤＢ（図示せず）が格納されている。文字入力部５０は、入力された文字に基づいて、この予測ＤＢを検索し、変換される漢字等の変換候補や、後に続く文字の予測候補を抽出する。
【００４２】
さらに、文字入力部５０は、携帯電話機１が有するアプリケーションの候補、又はアプリケーションにおける動作（処理）を、入力文字に基づいてメモリ４４から抽出し、変換候補あるいは予測候補の中に表示させる。具体的には、文字入力部５０は、例えば、「か」と入力された場合に、「か」で始まるアプリケーションである「カメラ」を予測候補として表示させる。次に、「カメラ」が入力された場合や、「カメラ」が予測候補として選択された場合に、カメラアプリケーションにおける処理内容として、「起動する」や「使い方」といった処理名を予測候補として表示させる。
【００４３】
なお、メモリ４４には、携帯電話機１が有するアクティビティ（アプリケーション名及びアプリケーションにおける処理名、さらには携帯電話機１の状態を設定する機能名等）が、アクティビティ候補ＤＢとして格納される。
【００４４】
そして、ユーザにより、これらのアプリケーション名や処理名が選択された場合には、アプリケーション実行部５１は、該当のアプリケーション（例えば、カメラ、メール、テレビ等）あるいは、アプリケーションの特定の動作（処理）を、実行する。
【００４５】
また、文字入力部５０は、携帯電話機１が有するアプリケーションの実行に限らず、携帯電話機１の状態（例えば、マナーモードや電波ＯＦＦモード等）を設定する機能名を、メモリ４４から抽出し、変換候補あるいは予測候補として表示する。そして、設定制御部５２は、これらの機能名が選択されたことに応じて、携帯電話機１の状態設定を行う。
【００４６】
次に、本実施形態に係る携帯電話機１により容易に入力された文字又は数字を変換して、アプリケーションに利用するための制御について説明する。
【００４７】
なお、本実施形態においては、「文字」とは、数字以外の文字（かな文字、カナ文字、英字、記号）等を含むものと定義する。また、「数字」とは、電話発信に用いる数字等（０〜９、＊、＃、ポーズの「ｐ」、ハイフンの「‐」）と定義する。また、「文字」及び「数字」は、一の文字、一の数字だけでなく、文字列、数字列も含むものと定義する。また、標準画面とは、着信を待ち受けている場合及びアプリケーションの起動を待ち受けている場合に表示される画面であり、他に待受画面、初期画面、壁紙、デスクトップともいう。
【００４８】
本実施形態に係る制御部４５は、表示部２１に初期画面としての標準画面が表示された状態において、入力操作キー１４の操作により文字が入力文字として入力され、入力された文字がメモリ４４に記憶された所定の文字の少なくとも一部であると判断された場合に、入力文字の表示部２１への表示を維持すると共に、所定の文字に対応付けられる所定の数字を表示させる。
【００４９】
そして、制御部４５は、表示部２１に少なくとも入力文字及び所定の数字が表示された状態で、入力文字又は所定の数字に関連するアプリケーションの起動指示がされると、少なくとも入力文字又は所定の数字のいずれか一方を入力させた状態でアプリケーションを起動させる。
【００５０】
具体的には、制御部４５は以下の処理を実行する。
図５は、本実施形態に係る表示部２１に表示される画面遷移例を示す図である。
なお、本明細書では、日本語のかな文字、カタカナ文字、漢字と共に、その文字を日本語で発音する際のローマ字表記も括弧書きで表す。
制御部４５は、初期画面としての標準画面Ｄ１が表示された状態において、入力操作キー１４の操作により文字「えちおぴ」（ｅｔｉｏｐｉ）が入力されると、入力操作キー１４に割り当てられるかな文字「えちおぴ」（ｅｔｉｏｐｉ）を入力させて表示部２１の領域２１１に表示させ、かつ、入力操作キー１４に割り当てられる数字「１１１１４４１１１１１６６＊＊」を入力させて表示部２１の領域２１２に表示させる（図５中の画面Ｄ２）。なお、制御部４５は、初期画面として標準画面Ｄ１が表示された状態において、入力操作キー１４の操作により文字「えちおぴ」（ｅｔｉｏｐｉ）が入力されると、入力操作キー１４に割り当てられるかな文字「えちおぴ」（ｅｔｉｏｐｉ）のみを入力させて表示部２１の領域２１１に表示させてもよい。
また、画面Ｄ１及びＤ２に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ２に示す処理を行ってもよい。
【００５１】
画面Ｄ２において、制御部４５は、入力操作キー１４の操作により文字「あ」（ａ）が入力されると、入力操作キー１４に割り当てられるかな文字「あ」（ａ）を入力させて領域２１１に表示させ、かつ、入力操作キー１４に割り当てられる数字「１」を入力させて領域２１２に表示させる（図５中の画面Ｄ３）。さらに、制御部４５は、変換候補として「エチオピア」（ｅｔｉｏｐｉａ；日本語で国名のエチオピアを表す；カタカナ文字により表される）、「エチオピアの」（ｅｔｉｏｐｉａｎｏ；カタカナ文字及び仮名文字により表される）、「エチオピア産」（ｅｔｉｏｐｉａｓａｎ；カタカナ文字及び漢字により表される）、「２５１↓」及び「（機）エチオピアへ電話」（（ｋｉ）ｅｔｉｏｐｉａｈｅｄｅｎｗａ；記号、漢字、カタカナ文字及び仮名文字により表される）を表示部２１の領域２１３に表示させる（図５中の画面Ｄ３）。
【００５２】
領域２１３に変換候補として表示される「２５１↓」は、領域２１２に数字「２５１」を表示させることを示している。
【００５３】
図６は、メモリ４４に記憶されている辞書テーブル４４ａの一例を示す図である。
図６に示すように、辞書テーブル４４ａには、変換候補である語句に、品詞、品詞分類１、品詞分類２、接頭番号（数字）、意味等が対応付けて記憶されている。
例えば、語句「アメリカ」（ａｍｅｒｉｋａ；日本語で国名のアメリカを表す）には、品詞としての「固有名詞」と、品詞分類１としての「国名」と、接頭番号としての「１」とが対応付けて記憶されている。同様にして、語句「エチオピア」（ｅｔｉｏｐｉａ；日本語で国名のエチオピアを表す）、には、品詞としての「固有名詞」と、品詞分類１としての「国名」と、接頭番号としての「２５１」とが対応付けて記憶されている。
【００５４】
画面Ｄ３において、制御部４５は、領域２１１に表示させているカタカナ文字「エチオピア」（ｅｔｉｏｐｉａ）が辞書テーブル４４ａにおいて接頭番号としての数字「２５１」と対応付けて記憶されているため、入力操作キー１４の操作により入力された数字「１１１１４４１１１１１６６＊＊」の表示に代えて、接頭番号としての数字「２５１」を領域２１２に表示させる（図５中の画面Ｄ４）。
【００５５】
画面Ｄ４において、制御部４５は、入力操作キー１４の操作により数字「５４３３」が入力されると、入力操作キー１４に割り当てられるかな文字「なたし」（ｎａｔａｓｉ）を入力させて領域２１１に表示させ、かつ、入力操作キー１４に割り当てられる数字「５４３３」を入力させて領域２１２に表示させ、かつ、変換候補として文字「エチオピアな足し」（ｅｔｉｏｐｉａｎａｔａｓｉ；カタカナ文字、仮名文字及び漢字により表される）及び「エチオピアナタシ」（ｅｔｉｏｐｉａｎａｔａｓｉ；カタカナ文字により表される）を領域２１３に表示させる（図５中の画面Ｄ５）。
【００５６】
画面Ｄ５において、制御部４５は、入力操作キー１４の操作により数字「８」が入力されると、入力操作キー１４に割り当てられる文字「や」を入力させて領域２１１に表示させ、かつ、入力操作キー１４に割り当てられる数字「８」を入力させて領域２１２に表示させ、かつ、変換候補として文字「エチオピアな足しや」（ｅｔｉｏｐｉａｎａｔａｓｉｙａ；カタカナ文字、仮名文字及び漢字により表される）及び「エチオピアナタシヤ」（ｅｔｉｏｐｉａｎａｔａｓｉｙａ；カタカナ文字により表される）を領域２１３に表示させる（図５中の画面Ｄ６）。
【００５７】
画面Ｄ６において、制御部４５は、カタカナ文字「エチオピア」（ｅｔｉｏｐｉａ；日本語で国名のエチオピアを表す）と「国名」とが辞書テーブル４４ａに対応付けて記憶されており、かつ、その後に続けて入力された文字列「なたしや」（ｎａｔａｓｉｙａ）が辞書テーブル４４ａに記憶されていない場合、領域２１２に表示されている数字「２５１５４３３８」の入力を確定する。そして、制御部４５は、操作部１１の発信キー１６が操作されると、電話用アプリケーションを起動させ、電話用アプリケーションにより数字「２５１５４３３」へ電話発信すると共に、文字「エチオピアへ発信」及び数字「２５１５４３３」を表示させる（図５中の画面Ｄ８）。なお、制御部４５は、操作部１１の発信キー１６が操作されると、電話発信を行う旨の確認画面を表示させ、電話発信を行うことが選択されることにより電話用アプリケーションを起動させてもよい。
【００５８】
また、画面Ｄ４において、制御部４５は、カタカナ文字「エチオピア」（ｅｔｉｏｐｉａ；日本語で国名のエチオピアを表す）と「国名」とが辞書テーブル４４ａに対応付けて記憶されており、かつ、その後に続けて入力された文字列「りょこう」が他の辞書テーブルに記憶されており、かつ、文字列「りょこう」（ｒｙｏｋｏｕ；日本語で旅行を表す）が「国名」や「市名」等の地名ではない場合、領域２１１に表示されているかな文字「えちおぴありょこう」（ｅｔｉｏｐｉａ  ｒｙｏｋｏｕ；日本語でエチオピアへの旅行を表す）の入力であることを確定して、領域２１１及び２１３のみを表示させる。そして、文字に関連するアプリケーション（例えば、メールアプリケーション、メモ帳アプリケーション等）を選択することによって、選択されたアプリケーションにかな文字「えちあぴありょこう」（ｅｔｉｏｐｉａ  ｒｙｏｋｏｕ）を入力させた状態で起動させることが可能となる。
【００５９】
このように本実施形態によれば、携帯電話機１は、容易に文字から数字、又は数字から文字に変換し、変換後の文字又は数字をアプリケーション（例えば、電話用アプリケーション）で利用することができる。
【００６０】
また、制御部４５は、表示部２１に表示された文字又は所定の数字のいずれかを選択可能とし、選択された文字又は所定の数字を入力させた状態でアプリケーション（例えば、電話用アプリケーション）を起動させる。これにより、選択された文字又は所定の数字のいずれかを入力させた状態でアプリケーションを起動できる。
【００６１】
また、制御部４５は、表示部２１の標準画面Ｄ１が表示された状態において、入力操作キー１４が操作されると、入力操作キー１４に割り当てられる文字及び所定の数字をそれぞれ入力して表示部２１に表示させる。これにより、携帯電話機１は、入力操作キー１４に割り当てられる文字及び所定の数字それぞれを視認しながら文字の入力が可能となるため、携帯電話機１の操作性が向上する。
【００６２】
また、制御部４５は、入力操作キー１４の操作により入力された数字の表示（例えば、「１１１１４４１１１１１６６＊＊」）に代えて、所定の数字（例えば、「２５１」）を表示させる。これにより、携帯電話機１は、入力操作キー１４を操作することなく、ユーザが所望する数字を入力することができる。
【００６３】
また、本実施形態に係るメモリ４４は、予め登録可能な登録文字をさらに記憶していてもよい。また、制御部４５は、入力操作キー１４の操作により入力された文字がメモリ４４に記憶された登録文字（例えば、「えちおぴあ」（ｅｔｉｏｐｉａ）、「りょこう」（ｒｙｏｋｏｕ））と一致する場合に、入力された文字の表示を継続し、入力された数字の表示を解除してもよい。これにより、携帯電話機１は、ユーザが文字を入力したいことが想定された場合に、数字の表示を解除して文字を表示することにより、ユーザの利便性をさらに向上させることができる。
【００６４】
また、携帯電話機１において、辞書テーブル４４ａに記憶される所定の文字は、国名又は地域名であり、辞書テーブル４４ａに記憶される所定の数字は、国番号又は地域番号である。このため、携帯電話機１は、ユーザが国際電話や市外局番等に用いる電話番号の入力操作の利便性をさらに向上させることができる。
【００６５】
また、所定の文字は、メモリ４４に記憶されるアドレス帳に登録される名称であってもよく、所定の数字は、アドレス帳において、アドレス帳に登録される名称と対応付けて登録される電話番号であってもよい。
また、所定の文字は、メモリ４４に記憶されるスケジュールにおいて個人の名称（例えば、「鈴木さんの誕生日」）であってもよく、所定の数字は、スケジュールにおいて、個人の名称（例えば、「鈴木さんの誕生日」）と対応付けて記憶される誕生日に対応する数字（例えば、１９８３０９０１）であってもよい。
【００６６】
図７は、本実施形態に係る表示部２１に表示される画面遷移の他の例を示す図である。
制御部４５は、初期画面としての標準画面Ｄ１が表示された状態において、入力操作キー１４の操作により文字「にほんわかや」（ｎｉｈｏｎｗａｋａｙａ）が入力されると、入力操作キー１４に割り当てられるかな文字「にほんわかや」（ｎｉｈｏｎｗａｋａｙａ）を入力させて領域２１１に表示させ、かつ、入力操作キー１４に割り当てられる数字「５５６６６６６００００２８」を入力させて領域２１２に表示させ、かつ、変換候補として文字「日本若屋」（ｎｉｈｏｎｗａｋａｙａ；漢字により表される）、「日本和歌山」（ｎｉｈｏｎｗａｋａｙａｍａ；漢字により表される）、「二本和香山」（ｎｉｈｏｎｗａｋａｙａｍａ；漢字により表される）、「二本和歌山」（ｎｉｈｏｎｗａｋａｙａｍａ；漢字により表される）及び「８１０７３４↓」を領域２１３に表示させる（図７中の画面Ｄ１１）。
【００６７】
ここで、領域２１３に表示される変換候補「８１０７３４↓」は、日本の国番号（８１）及び和歌山の市外局番（０７３４）を含む数字「８１０７３４」を領域２１２に表示させることを示している。
【００６８】
画面Ｄ１１において、制御部４５は、入力操作キー１４の操作により文字「ま」（ｍａ）が入力されると、入力操作キー１４に割り当てられるかな文字「ま」（ｍａ）を入力させて領域２１１に表示させ、かつ、変換候補として文字「日本和歌山」、「二本和香山」、「二本和歌山」（いずれもｎｉｈｏｎｗａｋａｙａｍａ；漢字により表される）及び「８１０７３４↓」を領域２１３に表示させる（図７中の画面Ｄ１２）。さらに、制御部４５は、かな文字「にほん」（ｎｉｈｏｎ）と「国名」とが辞書テーブル４４ａに対応付けて記憶されており、かつ、その後に続けて入力された文字列「わかやま」（ｗａｋａｙａｍａ）が辞書テーブル４４ａに記憶されている場合、数字「５５６６６６６００００２８」に代えて、日本の国番号（８１）及び和歌山の市外局番（０７３４）を含む数字「８１０７３４」を領域２１２に表示させる（図７中の画面Ｄ１２）。
また、画面Ｄ１、Ｄ１１及びＤ１２に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ１１及びＤ１２に示す処理を行ってもよい。
【００６９】
図８は、本実施形態に係る表示部２１に表示される画面遷移の他の例を示す図である。
制御部４５は、初期画面としての標準画面Ｄ１が表示された状態において、入力操作キー１４の操作により文字「わかや」（ｗａｋａｙａ）が入力されると、入力操作キー１４に割り当てられるかな文字「わかや」（ｗａｋａｙａ）を入力させて領域２１１に表示させ、かつ、入力操作キー１４に割り当てられる数字「０２８」を入力させて領域２１２に表示させ、かつ、変換候補として文字「若屋」（ｗａｋａｙａ；漢字により表される）、「和歌や」（ｗａｋａｙａ；漢字及びかな文字により表される）、「和歌屋」（ｗａｋａｙａ；漢字により表される）及び「和かや」（ｗａｋａｙａ；漢字及びかな文字により表される）を領域２１３に表示させる（図８中の画面Ｄ２１）。
【００７０】
画面Ｄ２１において、制御部４５は、入力操作キー１４の操作により文字「ま」（ｍａ）が入力されると、入力操作キー１４に割り当てられるかな文字「ま」（ｍａ）を入力させて領域２１１に表示させ、かつ、変換候補として文字「和歌山」（ｗａｋａｙａｍａ；漢字により表される）、「和香山」（ｗａｋａｙａｍａ；漢字により表される）、「０７３４↓」及び「（日本）０７３４↓」を領域２１３に表示させる（図８中の画面Ｄ２２）。さらに、制御部４５は、かな文字「わかやま」（ｗａｋａｙａｍａ）と「県名」及び「市名」とが辞書テーブル４４ａに対応付けて記憶されている場合、数字「０２８」に代えて、和歌山の市外局番である数字「０７３４」を領域２１２に表示させる（図８中の画面Ｄ２２）。
【００７１】
ここで、領域２１３に表示される変換候補「０７３４↓」は、数字「０７３４」を領域２１２に表示させることを示し、変換候補「（日本）０７３４↓」は、日本の国番号（８１）及び和歌山の市外局番（０７３４）を含む数字「８１０７３４」を領域２１２に表示させることを示している。
【００７２】
画面Ｄ２２において、制御部４５は、決定操作キー１５等の操作により変換候補「（日本）０７３４↓」が選択されると（図８中の画面Ｄ２３）、電話用アプリケーションを起動させ、電話用アプリケーションにより数字「８１０７３４」へ電話発信すると共に、文字「日本の和歌山へ発信」及び数字「８１０７３４」を表示させる（図８中の画面Ｄ２４）。
【００７３】
また、本実施形態に係る制御部４５は、入力操作キー１４の操作により入力された数字がメモリ４４に記憶された所定の数字と一致する場合に、当該所定の数字と対応付けてメモリ４４に記憶されている所定の文字を表示部２１に表示されている文字に代えて表示させてもよい。
また、画面Ｄ１〜Ｄ２４に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ２１〜Ｄ２４に示す処理を行ってもよい。
【００７４】
具体的には、制御部４５は以下の処理を実行する。
図９は、本実施形態に係る表示部２１に表示される画面遷移の他の例を示す図である。
制御部４５は、初期画面としての標準画面Ｄ１が表示された状態において、入力操作キー１４の操作によりかな文字「わかや」（ｗａｋａｙａ）が入力されると、入力操作キー１４に割り当てられるかな文字「わかや」（ｗａｋａｙａ）を入力させて領域２１１に表示させ、かつ、入力操作キー１４に割り当てられる数字「０２８」を入力させて領域２１２に表示させ、かつ、変換候補として文字「若屋」（ｗａｋａｙａ；漢字により表される）、「和歌や」（ｗａｋａｙａ；漢字及びかな文字により表される）、「和歌屋」（ｗａｋａｙａ；漢字により表される）及び「和かや」（ｗａｋａｙａ；漢字及びかな文字により表される）を領域２１３に表示させる（図９中の画面Ｄ３１）。
【００７５】
画面Ｄ３１において、制御部４５は、入力操作キー１４の操作により文字「ま」（ｍａ）が入力されると、入力操作キー１４に割り当てられるかな文字「ま」（ｍａ）を入力させて領域２１１に表示させ、かつ、入力操作キー１４に割り当てられる数字「０２８７」を入力させて領域２１２に表示させ、かつ、変換候補として文字「和歌山」（ｗａｋａｙａｍａ；漢字により表される）、「和香山」（ｗａｋａｙａｍａ；漢字により表される）、「０７３４↓」、「（日本）０７３４↓」及び「（検索）０２８７↑」を領域２１３に表示させる（図９中の画面Ｄ３２）。
【００７６】
ここで、領域２１３に表示される変換候補「（検索）０２８７↑」は、「０２８７」を国番号、市外局番等の地域番号を有する地域名を検索し、検索した地域名を領域２１１に表示させることを示している。
【００７７】
画面Ｄ３２において、制御部４５は、決定操作キー１５等の操作により変換候補「（検索）０２８７↑」が選択されると（図９中の画面Ｄ３３）、メモリ４４内の国番号、市外局番等の地域番号と国名、地域名等の地名とを対応付けて記憶している地域名テーブルを用いて、数字「０２８７」を有する地域名を検索する。そして、制御部４５は、領域２１１に表示されているかな文字「わかやま」（ｗａｋａｙａｍａ）に代えて、「０２８７」に対応付けて記憶されている地域名「栃木県大田原市」（ＴｏｃｈｉｇｉｋｅｎＯｔａｗａｒａｓｉ；日本国の栃木県大田原市を表す）を表示させる（図９中の画面Ｄ３４）。
【００７８】
画面Ｄ３４において、制御部４５は、入力操作キー１４の操作により数字「１２３４・・・」が入力され、操作部１１の発信キー１６が操作されると、電話用アプリケーションを起動させ、電話用アプリケーションにより数字「０２８７１２３４・・・」へ電話発信すると共に、文字「栃木県大田原市へ発信」（日本国の栃木県大田原市へ発信することを表す）及び数字「０２８７１２３４・・・」を表示させる（図９中の画面Ｄ３５）。
【００７９】
このように本実施形態によれば、制御部４５は、入力操作キー１４の操作により入力された数字を用いて当該数字と対応付けてメモリ４４に記憶されている所定の文字（例えば、「栃木県大田原市」）を検索し、検索された所定の文字を表示部２１に表示されている文字に代えて表示させる。これにより、ユーザは、例えば、着信履歴に着信先が不明な電話番号があった際等に着信先の電話番号が属する地域名を検索することが可能となるため、着信先が不明な電話番号の地域名から着信先を推定することができる。
また、画面Ｄ１〜Ｄ３４に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ３１〜Ｄ３４に示す処理を行ってもよい。
【００８０】
また、制御部４５は、表示部２１に標準画面Ｄ１が表示された状態において、入力操作キー１４の操作により文字及び数字が入力され、当該文字の一部がメモリ４４に記憶された所定の文字の少なくとも一部であると判断された場合に、文字の一部と共に入力された数字の表示を解除し、メモリ４４において所定の文字に対応付けて記憶されている所定の数字を、表示部２１に表示されている数字の先頭に表示させてもよい。
【００８１】
具体的には、制御部４５は以下の処理を実行する。
図１０は、本実施形態に係る表示部２１に表示される画面遷移の他の例を示す図である。
制御部４５は、初期画面としての標準画面Ｄ１が表示された状態において、入力操作キー１４の操作により数字「５４３８８」が入力されると、入力操作キー１４に割り当てられるかな文字「なたさゆ」（ｎａｔａｓａｙｕ）を入力させて領域２１１に表示させ、かつ、入力操作キー１４に割り当てられる数字「５４３８８」を入力させて領域２１２に表示させ、かつ、変換候補としてかな文字「なたさゆ」（ｎａｔａｓａｙｕ）及びカタカナ文字「ナタサユ」（ｎａｔａｓａｙｕ）を領域２１３に表示させる（図１０中の画面Ｄ４１）。
【００８２】
画面Ｄ４１において、制御部４５は、入力操作キー１４の操作によりかな文字「えちおぴあ」（ｅｔｉｏｐｉａ）が入力されると、入力操作キー１４に割り当てられるかな文字「えちおぴあ」（ｅｔｉｏｐｉａ）を入力させて領域２１１に表示させ、かつ、入力操作キー１４に割り当てられる数字「１１１１４４１１１１１６６＊＊」を入力させて領域２１２に表示させ、かつ、変換候補としてかな文字「なたさゆえちおぴあ」（ｎａｔａｓａｙｕｅｔｉｏｐｉａ）及びカタカナ文字「ナタサユエチオピア」（ｎａｔａｓａｙｕｅｔｉｏｐｉａ）を領域２１３に表示させる（図１０中の画面Ｄ４２）。
【００８３】
そして、制御部４５は、領域２１１に入力されたかな文字「なたさゆえちおぴあ」（ｎａｔａｓａｙｕｅｔｉｏｐｉａ）の一部が辞書テーブル４４ａに記憶されている所定の文字の少なくとも一部であるか否かを判断する。
【００８４】
制御部４５は、領域２１１に入力されたかな文字「なたさゆえちおぴあ」（ｎａｔａｓａｙｕｅｔｉｏｐｉａ）の一部が辞書テーブル４４ａに記憶されている所定の文字の少なくとも一部であると判断された場合には、領域２１３に表示される数字「５４３８８１１１１４４１１１１１６６＊＊」のうち、「１１１１４４１１１１１６６＊＊」の表示を解除する。さらに、制御部４５は、辞書テーブル４４ａにおいてかな文字「エチオピア」（ｅｔｉｏｐｉａ）に対応付けて記憶されている数字「２５１」を、領域２１３に表示されている数字「５４３８８」の先頭に表示させる（図１０中の画面Ｄ４３）。
【００８５】
このように本実施形態によれば、制御部４５は、領域２１３に表示される数字の一部の表示を解除し、辞書テーブル４４ａにおいて文字に対応付けて記憶されている数字を先頭に表示させる。これにより、携帯電話機１は、国番号、市外局番等の地域番号を他の数字を入力した後でも、入力モードを切り替えることなく、入力できるため、ユーザの利便性をさらに向上させることができる。
【００８６】
また、上述した実施形態では、国番号や、市外局番等を用いたが、本発明はこれに限定されない。例えば、辞書テーブル４４ａには、語句「ひつうち」（ｈｉｔｕｕｔｉ；日本語で電話番号を非通知とすることを表す）と接頭番号としての数字「１８４」とを対応付けて記憶してもよく、同様に、語句「けいさつ」（ｋｅｉｓａｔｕ；日本語で警察を表す）と接頭番号としての数字「１１０」とを対応付けて記憶してもよい。
【００８７】
また、制御部４５は、アドレス帳と辞書テーブル４４ａとを連携させて、入力された文字（発信先）に対応付けて記憶されている電話番号を表示部２１に表示させてもよい。
【００８８】
例えば、制御部４５は、入力操作キー１４の操作により文字「にほんさとうさん」（ｎｉｈｏｎｓａｔｏｕｓａｎ）が入力されると、入力操作キー１４に割り当てられるかな文字「にほんさとうさん」（ｎｉｈｏｎｓａｔｏｕｓａｎ）を入力させて領域２１１に表示させ、かつ、入力操作キー１４に割り当てられる数字「５５６６６６６０００３４４４４４１１１」を入力させて領域２１２に表示させ、かつ、変換候補として文字「にほんさとうさん」（ｎｉｈｏｎｓａｔｏｕｓａｎ；かな文字により表される）、「日本佐藤さん」（ｎｉｈｏｎｓａｔｏｕｓａｎ；漢字及びかな文字により表される）等を領域２１３に表示させる。
【００８９】
そして、制御部４５は、アドレス帳に「佐藤さん」（ｓａｔｏｕｓａｎ）に対応付けて記憶されている電話番号が存在する場合には、領域２１２に数字「５５６６６６６０００３４４４４４１１１」に代えて、「８１（国番号）」及び「０９０ＸＸＸＸＸＸＸ（「佐藤さん」（ｓａｔｏｕｓａｎ）の電話番号）」を含む数字「８１０９０ＸＸＸＸＸＸＸ」を表示させる。
【００９０】
また、携帯電話機１は、ＧＰＳアンテナを有しており、制御部４５は、ＧＰＳアンテナにより携帯電話機１の位置情報を取得し、メモリ４４には、位置情報（例えば、アメリカ）と所定の数字（例えば、９１１）と、所定の文字（例えば、けいさつ（ｋｅｉｓａｔｕ；日本語で警察を表す））とが対応付けて記憶されてもよい。
【００９１】
そして、制御部４５は、表示部２１に標準画面Ｄ１が表示された状態において、入力操作キー１４の操作により文字が入力され、当該文字がメモリ４４に記憶された所定の文字（例えば、けいさつ（ｋｅｉｓａｔｕ；日本語で警察を表す））の少なくとも一部であると判断された場合に、文字の表示部２１への表示を維持すると共に、所定の文字に対応付けられる所定の数字（例えば、９１１）を、取得した位置情報（例えば、アメリカ）に基づいて表示させてもよい。
【００９２】
次に、図１１〜１３を参照しながら本実施形態に係る携帯電話機１の内部処理について説明する。図１１〜図１３は、本実施形態に係る携帯電話機１の内部処理について示すフローチャートである。
【００９３】
ステップＳ１において、制御部４５は、初期画面としての標準画面Ｄ１が表示された状態において、入力操作キー１４の操作を検出する。
ステップＳ２において、制御部４５は、入力操作キー１４の操作の検出に応じて、入力される文字及び数字を編集するアプリケーションＡ（以下、単にアプリケーションＡという）を起動する処理を行う。
【００９４】
ステップＳ３において、制御部４５は、入力操作キー１４に割り当てられる文字を入力させて領域２１１に表示させ、かつ、入力操作キー１４に割り当てられる数字を入力させて領域２１２に表示させ、かつ、変換候補を領域２１３に表示させる。
ステップＳ４において、制御部４５は、領域２１１に表示された文字を辞書テーブル４４ａから検索する。
【００９５】
ステップＳ５において、制御部４５は、領域２１１に表示された文字が辞書テーブル４４ａに記憶されている国名や県名等の地域名の少なくとも一部であるか否かを判定する。領域２１１に表示されている文字が地域名である場合（ＹＥＳ）には、ステップＳ６へ移る。領域２１１に表示されている文字が地域名でない場合（ＮＯ）には、ステップＳ１５へ移る。
【００９６】
ステップＳ６において、制御部４５は、領域２１１に表示されている文字（地域名）が既に認識された地域名であるか否かを判定する。既に認識された地域名である場合（ＹＥＳ）には、ステップＳ２３（図１２参照）へ移る。既に認識された地域名でない場合（ＮＯ）には、ステップＳ７へ移る。
【００９７】
ステップＳ７において、制御部４５は、入力された数字に代えて、辞書テーブル４４ａにおいて領域２１１に表示された文字に対応付けて記憶されている数字を、領域２１２に表示させる。
ステップＳ８において、制御部４５は、メモリ４４及びドライバＩＣ２３のフレームメモリを更新し、他の変換候補と共に、領域２１３に「（数値）↓」を追加して表示させる。
【００９８】
ステップＳ９において、制御部４５は、領域２１３の変換候補の文字又は数字が決定操作キー１５等の操作により選択されたか否かを判定する。変換候補の文字又は数字が選択された場合（ＹＥＳ）には、ステップＳ１０へ移る。変換候補の文字又は数字が選択されない場合（ＮＯ）には、ステップＳ１１へ移る。
【００９９】
ステップＳ１０において、制御部４５は、決定操作キー１５等の操作により、選択された変換候補の文字列又は数字列の確定処理を行う。
ステップＳ１１において、制御部４５は、入力操作キー１４の操作を検出したか否かを判定する。入力操作キー１４の操作を検出した場合（ＹＥＳ）には、ステップＳ３へ戻る。入力操作キー１４の操作を検出しない場合（ＮＯ）には、ステップＳ１２へ移る。
【０１００】
ステップＳ１２において、制御部４５は、発信キー１６の操作を検出したか否かを判定する。発信キー１６の操作を検出した場合（ＹＥＳ）には、ステップＳ１３へ戻る。発信キー１６の操作を検出しない場合（ＮＯ）には、ステップＳ１４へ移る。
【０１０１】
ステップＳ１３において、制御部４５は、発信先である地域名を表示すると共に、電話用アプリケーションを起動して、発信処理を行い、その後処理を終了する。
【０１０２】
ステップＳ１４において、制御部４５は、文字入力後の処理の指定を検出し、アプリケーションＡにより文字入力後の処理を実行し、その後処理を終了する。アプリケーションＡによる文字入力後の処理としては、例えば、電子メールアプリケーションの起動、テキストエディタアプリケーションの起動等が挙げられる。
【０１０３】
ステップＳ１５において、制御部４５は、領域２１２に表示（入力）された数字を地域名テーブルから検索する、いわゆる逆引きを行う。
【０１０４】
ステップＳ１６において、制御部４５は、地域名テーブルにおいて領域２１２に表示（入力）された数字列と対応付けて記憶されている地域名が存在するか否かを判定する。地域名が存在する場合（ＹＥＳ）には、ステップＳ１８へ移る。地域名が存在しない場合（ＮＯ）には、ステップＳ１７へ移る。
【０１０５】
ステップＳ１７において、制御部４５は、入力操作キー１４の操作を検出した後に、ステップＳ３へ戻る。
ステップＳ１８において、制御部４５は、領域２１３に変換候補「（検索）（数字）↓」を他の変換候補に追加して表示させる。
【０１０６】
ステップＳ１９において、制御部４５は、決定操作キー１５等の操作により変換候補「（検索）（数字）↓」が選択されたか否かを判定する。「（検索）（数字）↓」が選択された場合（ＹＥＳ）には、ステップＳ４２（図１３参照）へ移る。「（検索）（数字）↓」が選択されなかった場合（ＮＯ）には、ステップＳ２０へ移る。
【０１０７】
ステップＳ２０において、制御部４５は、領域２１３の変換候補の文字又は数字が決定操作キー１５等の操作により選択されたか否かを判定する。変換候補の文字又は数字が選択された場合（ＹＥＳ）には、ステップＳ２１へ移る。変換候補の文字又は数字が選択されない場合（ＮＯ）には、ステップＳ２２へ移る。
【０１０８】
ステップＳ２１において、制御部４５は、決定操作キー１５等の操作により、選択された変換候補の文字又は数字の確定処理を行う。
ステップＳ２２において、制御部４５は、入力操作キー１４の操作を検出したか否かを判定する。入力操作キー１４の操作を検出した場合（ＹＥＳ）には、ステップＳ３へ戻る。入力操作キー１４の操作を検出しない場合（ＮＯ）には、ステップＳ１２へ移る。
【０１０９】
図１２は、本実施形態に係る携帯電話機１の内部処理について示すフローチャートである。
ステップＳ２３において、制御部４５は、ステップＳ６において認識された地域名の後に入力された文字を辞書テーブル４４ａから検索する。
【０１１０】
ステップＳ２４において、制御部４５は、地域名の後に入力された文字が辞書テーブル４４ａに記憶されていたか否か、つまり、検索結果が存在するか否かを判定する。検索結果が存在する場合（ＹＥＳ）には、ステップＳ２５へ移る。検索結果が存在しない場合（ＮＯ）には、ステップＳ３９へ移る。
【０１１１】
ステップＳ２５において、制御部４５は、検索結果も地域名であるか否かを判定する。検索結果も地域名である場合（ＹＥＳ）には、ステップＳ２６へ移る。検索結果は地域名ではない場合（ＮＯ）には、ステップＳ２８へ移る。
【０１１２】
ステップＳ２６において、制御部４５は、ステップＳ６において認識された地域名と、ステップＳ２５において判定された地域名との階層を比較する。ここで、階層とは、地域名同士の関係を意味しており、例えば、「神奈川県」と「横浜市」とでは、「神奈川県」が上の階層であり、「横浜市」が下の階層となる。
【０１１３】
ステップＳ２７において、制御部４５は、ステップＳ２６において比較した地域名の階層が電話発信可能な階層順であるか否かを判定する。電話発信可能な階層順である場合（ＹＥＳ）には、ステップＳ３０へ移る。電話発信可能な階層順でない場合（ＮＯ）には、ステップＳ２８へ移る。
【０１１４】
なお、電話発信可能な階層順とは、ステップＳ６において認識された地域名の階層がステップＳ２５において判定された地域名の階層よりも上の階層であることを意味している。例えば、ステップＳ６において認識された地域名が「神奈川県」であり、ステップＳ２５において判定された地域名が「横浜市」である場合には、電話発信可能な階層順である。また、ステップＳ６において認識された地域名が「横浜市」であり、ステップＳ２５において判定された地域名が「神奈川県」である場合には、電話発信が不可能な階層順である。
【０１１５】
ステップＳ２８において、制御部４５は、領域２１１に表示されている文字の入力を確定する処理を行うと共に、領域２１１の表示を更新する。
ステップＳ２９において、制御部４５は、文字入力後の処理の指定を検出し、アプリケーションＡにより文字入力後の処理を実行する。
【０１１６】
ステップＳ３０において、制御部４５は、ステップＳ６において認識された地域名の階層及びステップＳ２５において判定された地域名の階層の上の階層が存在するか否かを判定する。上の階層が存在する場合（ＹＥＳ）には、ステップＳ３７へ移る。上の階層が存在しない場合（ＮＯ）には、ステップＳ３１へ移る。上の階層については、例えば、国名「日本」は、地域名「神奈川県」及び「横浜市」の上の階層となる。
【０１１７】
ステップＳ３１において、制御部４５は、ステップＳ６において認識された地域名及びステップＳ２５において判定された地域名それぞれに対応付けられている数字から電話番号を作成し、作成した電話番号を領域２１２に表示させる。
【０１１８】
ステップＳ３２において、制御部４５は、決定操作キー１５等の操作により文字入力が確定されたか否かを判定する。文字入力が確定された場合（ＹＥＳ）には、ステップＳ３３へ移る。文字入力が確定されない場合（ＮＯ）には、ステップＳ２８へ移る。
【０１１９】
ステップＳ３３において、制御部４５は、決定操作キー１５等の操作により、入力操作キー１４の入力を確定する操作が行われたか否かを判定する。入力を確定する操作が行われた場合（ＹＥＳ）には、ステップＳ３４へ移る。入力を確定する操作が行われない場合（ＮＯ）には、ステップＳ３５へ移る。
【０１２０】
ステップＳ３４において、制御部４５は、領域２１２を消去して、領域２１１及び２１３のみを表示させる。すなわち、制御部４５は、表示部２１の表示更新処理を行う。
【０１２１】
ステップＳ３５において、制御部４５は、入力操作キー１４の操作を検出したか否かを判定する。入力操作キー１４の操作を検出した場合（ＹＥＳ）には、ステップＳ３６へ移る。入力操作キー１４の操作を検出しない場合（ＮＯ）には、ステップＳ１２（図１１参照）へ移る。
【０１２２】
ステップＳ３６において、制御部４５は、ステップＳ３４における入力操作キー１４の操作により領域２１１に入力された文字を辞書テーブル４４ａから検索し、その後、ステップＳ２４へ戻る。
ステップＳ３７において、制御部４５は、領域２１３に変換候補「（上の階層名）（数字）↓」を他の変換候補に追加して表示させる。
【０１２３】
ステップＳ３８において、制御部４５は、決定操作キー１５等の操作により変換候補「（上の階層名）（数字）↓」が選択されたか否かを判定する。変換候補「（上の階層名）（数字）↓」が選択された場合（ＹＥＳ）には、ステップＳ３９へ移る。変換候補「（上の階層名）（数字）↓」が選択されない場合（ＮＯ）には、ステップＳ４１へ移る。
【０１２４】
ステップＳ３９において、制御部４５は、領域２１２を消去して、領域２１１及び２１３のみを表示させる。すなわち、制御部４５は、表示部２１の表示更新処理を行う。
ステップＳ４０において、制御部４５は、ステップＳ６において認識された地域名及び／又はステップＳ３９において表示された地域名それぞれに対応付けられている数字から電話番号を作成する。
【０１２５】
ステップＳ４１において、制御部４５は、作成した電話番号を領域２１２に表示させる。すなわち、制御部４５は、表示部２１の表示更新処理を行う。その後、制御部４５は、ステップＳ１２（図１１参照）へ戻る。
【０１２６】
図１３は、本実施形態に係る携帯電話機１の内部処理について示すフローチャートである。
ステップＳ４２において、制御部４５は、地域名テーブルにおいて領域２１２に表示されている数字と対応付けられて記憶されている地域名を検索する。
ステップＳ４３において、制御部４５は、地域名テーブルにおいて領域２１２に表示されている数字と対応付けられて記憶されている地域名が検索されたか否か、すなわち、検索結果が存在するか否かを判定する。検索結果が存在する場合（ＹＥＳ）には、ステップＳ４４へ移る。検索結果が存在しない場合（ＮＯ）には、ステップＳ４９へ移る。
【０１２７】
ステップＳ４４において、制御部４５は、検索した地域名と対応付けられている数字を含む変換候補「（検索）（番号）↑」を領域２１３に表示させる。
【０１２８】
ステップＳ４５において、制御部４５は、領域２１３に変換候補「（数字）↓」が表示されており、決定操作キー１５等の操作により変換候補「（数字）↓」が選択されたか否かを判定する。変換候補「（数字）↓」が選択された場合（ＹＥＳ）には、ステップＳ４６へ移る。変換候補「（数字）↓」が選択されなかった場合（ＮＯ）には、ステップＳ４７へ移る。
【０１２９】
ステップＳ４６において、制御部４５は、領域２１２の表示更新処理を行う。
ステップＳ４７において、制御部４５は、決定操作キー１５等の操作により変換候補「（検索）（番号）↑」が選択されたか否かを判定する。変換候補「（検索）（番号）↑」が選択された場合（ＹＥＳ）には、ステップＳ４８へ移る。変換候補「（検索）（番号）↑」が選択されなかった場合（ＮＯ）には、ステップＳ４９へ移る。
【０１３０】
ステップＳ４８において、制御部４５は、領域２１１の表示更新処理を行う。
ステップＳ４９において、制御部４５は、操作部１１の操作等の処理へ移り、その後、処理を終了する。
【０１３１】
このように本実施形態によれば、携帯電話機１は、容易に文字から数字、又は数字から文字に変換し、変換後の文字又は数字をアプリケーション（例えば、電話用アプリケーション）で利用することができる。
【０１３２】
次に、図１４から図１８を参照して、英語表記による実施形態について説明する。
図１４は、英語表記による表示部２１に表示される画面遷移例を示す図である。図１４に示す実施形態は、前述の図５に示す実施形態に対応する。
制御部４５は、初期画面としての標準画面Ｄ１が表示された状態において、入力操作キー１４の操作により文字「ＥＴＨＩＯＰＩ」が入力されると、入力操作キー１４に割り当てられる文字「ＥＴＨＩＯＰＩ」を入力させて表示部２１の領域２１１に表示させ、かつ、入力操作キー１４に割り当てられる数字「３３８４４４４４６６６７４４４」を入力させて表示部２１の領域２１２に表示させる（図１４中の画面Ｄ５２）。なお、制御部４５は、初期画面として標準画面Ｄ１が表示された状態において、入力操作キー１４の操作により文字「ＥＴＨＩＯＰＩ」が入力されると、入力操作キー１４に割り当てられる文字「ＥＴＨＩＯＰＩ」のみを入力させて表示部２１の領域２１１に表示させてもよい。
【０１３３】
画面Ｄ５２において、制御部４５は、入力操作キー１４の操作により文字「Ａ」が入力されると、入力操作キー１４に割り当てられるかな文字「Ａ」を入力させて領域２１１に表示させ、かつ、入力操作キー１４に割り当てられる数字「２」を入力させて領域２１２に表示させる（図１４中の画面Ｄ５３）。さらに、制御部４５は、変換候補として「ＥＴＨＩＯＰＩＡＮ」、「２５１↓」及び「Ｏｕｔｇｏｉｎｇ  ｔｏ  ＥＴＨＩＯＰＩＡ」を表示部２１の領域２１３に表示させる（図１４中の画面Ｄ５３）。
【０１３４】
領域２１３に変換候補として表示される「２５１↓」は、領域２１２に数字「２５１」を表示させることを示している。
【０１３５】
画面Ｄ５３において、制御部４５は、領域２１１に表示させている文字「ＥＴＨＩＯＰＩＡ」が辞書テーブル４４ａにおいて接頭番号としての数字「２５１」と対応付けて記憶されているため、入力操作キー１４の操作により入力された数字「３３８４４４４４６６６７４４４２」の表示に代えて、接頭番号としての数字「２５１」を領域２１２に表示させる（図１４中の画面Ｄ５４）。
【０１３６】
画面Ｄ５４において、制御部４５は、入力操作キー１４の操作により数字「５４３３」が入力されると、入力操作キー１４に割り当てられる文字「ＪＧＥ」を入力させて領域２１１に表示させ、かつ、入力操作キー１４に割り当てられる数字「５４３３」を入力させて領域２１２に表示させ、かつ、変換候補として文字「ｅｔｈｉｏｐｉａｊｇｅ」を領域２１３に表示させる（図１４中の画面Ｄ５５）。
【０１３７】
画面Ｄ５５において、制御部４５は、入力操作キー１４の操作により数字「８」が入力されると、入力操作キー１４に割り当てられる文字「Ｔ」を入力させて領域２１１に表示させ、かつ、入力操作キー１４に割り当てられる数字「８」を入力させて領域２１２に表示させ、かつ、変換候補として文字「ｅｔｈｉｏｐｉａｊｇｅｔ」を領域２１３に表示させる（図１４中の画面Ｄ５６）。
【０１３８】
画面Ｄ５６において、制御部４５は、文字「ＥＴＨＩＯＰＩＡ」と「国名」とが辞書テーブル４４ａに対応付けて記憶されており、かつ、その後に続けて入力された文字列「ＪＧＥＴ」が辞書テーブル４４ａに記憶されていない場合、領域２１２に表示されている数字「２５１５４３３８」の入力を確定する。そして、制御部４５は、操作部１１の発信キー１６が操作されると、電話用アプリケーションを起動させ、電話用アプリケーションにより数字「２５１５４３３」へ電話発信すると共に、文字「Ｏｕｔｇｏｉｎｇ  ｔｏ  Ｅｔｈｉｏｐｉａ」及び数字「２５１５４３３」を表示させる（図１４中の画面Ｄ５８）。なお、制御部４５は、操作部１１の発信キー１６が操作されると、電話発信を行う旨の確認画面を表示させ、電話発信を行うことが選択されることにより電話用アプリケーションを起動させてもよい。
【０１３９】
また、画面Ｄ５４において、制御部４５は、文字「ＥＴＨＩＯＰＩＡ」と「国名」とが辞書テーブル４４ａに対応付けて記憶されており、かつ、その後に続けて入力された文字列「ＴＲＡＶＥＬ」が他の辞書テーブルに記憶されており、かつ、文字列「ＴＲＡＶＥＬ」が「国名」や「市名」等の地名ではない場合、領域２１１に表示されている文字「ＥＴＨＩＯＰＩＡ  ＴＲＡＶＥＬ」の入力であることを確定して、領域２１１及び２１３のみを表示させる。そして、文字に関連するアプリケーション（例えば、メールアプリケーション、メモ帳アプリケーション等）を選択することによって、選択されたアプリケーションに文字「ＥＴＨＩＯＰＩＡ  ＴＲＡＶＥＬ」を入力させた状態で起動させることが可能となる（図１４中の画面Ｄ５７）。
また、画面Ｄ１〜Ｄ５７に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ５１〜Ｄ５７に示す処理を行ってもよい。
【０１４０】
図１５は、英語表記による表示部２１に表示される画面遷移の他の例を示す図である。図１５に示す実施形態は、前述の図７に示す実施形態に対応する。
制御部４５は、初期画面としての標準画面Ｄ１が表示された状態において、入力操作キー１４の操作により文字「ＪＡＰＡＮ  ＷＡＫＡＹＡ」が入力されると、入力操作キー１４に割り当てられる文字「ＪＡＰＡＮ  ＷＡＫＡＹＡ」を入力させて領域２１１に表示させ、かつ、入力操作キー１４に割り当てられる数字「５２７２６６９２５５９９９２」を入力させて領域２１２に表示させ、かつ、変換候補として文字「ＪＡＰＡＮ  ＷＡＫＡＹＡＭＡ」及び「８１０７３４↓」を領域２１３に表示させる（図１５中の画面Ｄ６１）。
【０１４１】
ここで、領域２１３に表示される変換候補「８１０７３４↓」は、日本の国番号（８１）及び和歌山の市外局番（０７３４）を含む数字「８１０７３４」を領域２１２に表示させることを示している。
【０１４２】
画面Ｄ６１において、制御部４５は、入力操作キー１４の操作により文字「ＭＡ」が入力されると、入力操作キー１４に割り当てられるかな文字「ＭＡ」を入力させて領域２１１に表示させ、かつ、変換候補として文字「ＪＡＰＡＮ  ＷＡＫＡＹＡＭＡ  ＰＲＥＦＥＣＴＵＲＥ」及び「８１０７３４↓」を領域２１３に表示させる（図１５中の画面Ｄ６２）。さらに、制御部４５は、入力操作キー１４の操作により文字「ＭＡ」が入力されると、文字「ＪＡＰＡＮ」と「国名」とが辞書テーブル４４ａに対応付けて記憶されており、かつ、その後に続けて入力された文字列「ＷＡＫＡＹＡＭＡ」が辞書テーブル４４ａに記憶されている場合、数字「５２７２６６９２５５９９９２」に代えて、日本の国番号（８１）及び和歌山の市外局番（０７３４）を含む数字「８１０７３４」を領域２１２に表示させる（図１５中の画面Ｄ６２）。
また、画面Ｄ１〜Ｄ６１に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ６１及びＤ６２に示す処理を行ってもよい。
【０１４３】
図１６は、英語表記による表示部２１に表示される画面遷移の他の例を示す図である。図１６に示す実施形態は、前述の図８に示す実施形態に対応する。
制御部４５は、初期画面としての標準画面Ｄ１が表示された状態において、入力操作キー１４の操作により文字「ＷＡＫＡＹＡ」が入力されると、入力操作キー１４に割り当てられる文字「ＷＡＫＡＹＡ」を入力させて領域２１１に表示させ、かつ、入力操作キー１４に割り当てられる数字「９２５５２９９９２」を入力させて領域２１２に表示させ、かつ、変換候補として文字「ｗａｋａｙａ」を領域２１３に表示させる（図１６中の画面Ｄ７１）。
【０１４４】
画面Ｄ７１において、制御部４５は、入力操作キー１４の操作により文字「ＭＡ」が入力されると、入力操作キー１４に割り当てられる文字「ＭＡ」を入力させて領域２１１に表示させ、かつ、変換候補として文字「ｗａｋａｙａｍａ」、「０７３４↓」及び「（Ｊａｐａｎ）０７３４↓」を領域２１３に表示させる（図１６中の画面Ｄ７２）。さらに、制御部４５は、入力操作キー１４の操作により文字「ＭＡ」が入力されると、文字「ＷＡＫＡＹＡＭＡ」と「県名」及び「市名」とが辞書テーブル４４ａに対応付けて記憶されている場合、数字「９２５５２９９９２」に代えて、和歌山の市外局番である数字「０７３４」を領域２１２に表示させる（図１６中の画面Ｄ７２）。
【０１４５】
ここで、領域２１３に表示される変換候補「０７３４↓」は、数字「０７３４」を領域２１２に表示させることを示し、変換候補「（Ｊａｐａｎ）０７３４↓」は、日本の国番号（８１）及び和歌山の市外局番（０７３４）を含む数字「８１０７３４」を領域２１２に表示させることを示している。
【０１４６】
画面Ｄ７２において、制御部４５は、決定操作キー１５等の操作により変換候補「（日本）０７３４↓」が選択されると（図１６中の画面Ｄ７３）、電話用アプリケーションを起動させ、電話用アプリケーションにより数字「８１０７３４」へ電話発信すると共に、文字「Ｏｕｔｇｏｉｎｇ  ｔｏ  ＷＡＫＡＹＡＭＡ（Ｊａｐａｎ）」及び数字「８１０７３４」を表示させる（図１６中の画面Ｄ７４）。
また、画面Ｄ１〜Ｄ７３に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ７１〜Ｄ７３に示す処理を行ってもよい。
【０１４７】
図１７は、英語表記による表示部２１に表示される画面遷移の他の例を示す図である。図１７に示す実施形態は、前述の図９に示す実施形態に対応する。
制御部４５は、初期画面としての標準画面Ｄ１が表示された状態において、入力操作キー１４の操作により数字「０２８」が入力されると、入力操作キー１４に割り当てられる文字「ＡＴ」（０には割り当てられる文字が存在しない）を入力させて領域２１１に表示させ、かつ、入力操作キー１４に割り当てられる数字「０２８」を入力させて領域２１２に表示させ、かつ、変換候補として文字「ａｔ」を領域２１３に表示させる（図１７中の画面Ｄ８１）。
【０１４８】
画面Ｄ８１において、制御部４５は、入力操作キー１４の操作により数字「７」が入力されると、入力操作キー１４に割り当てられる文字「Ｐ」を入力させて領域２１１に表示させ、かつ、入力操作キー１４に割り当てられる数字「７」を入力させて領域２１２に表示させ、かつ、変換候補として文字「ａｔｐ」及び「（ＳＥＡＲＣＨ）０２８７↑」を領域２１３に表示させる（図１７中の画面Ｄ８２）。
【０１４９】
ここで、領域２１３に表示される変換候補「（ＳＥＡＲＣＨ）０２８７↑」は、「０２８７」を国番号、市外局番等の地域番号を有する地域名を検索し、検索した地域名を領域２１１に表示させることを示している。
【０１５０】
画面Ｄ８２において、制御部４５は、決定操作キー１５等の操作により変換候補「（ＳＥＡＲＣＨ）０２８７↑」が選択されると（図１７中の画面Ｄ８３）、メモリ４４内の国番号、市外局番等の地域番号と国名、地域名等の地名とを対応付けて記憶している地域名テーブルを用いて、数字「０２８７」を有する地域名を検索する。そして、制御部４５は、領域２１１に表示されている文字「ＡＴＰ」に代えて、「０２８７」に対応付けて記憶されている地域名「ＴＯＣＨＩＧＩ  ＯＴＡＷＡＲＡ」を表示させる（図１７中の画面Ｄ８４）。
【０１５１】
画面Ｄ８４において、制御部４５は、入力操作キー１４の操作により数字「１２３４・・・」が入力され、操作部１１の発信キー１６が操作されると、電話用アプリケーションを起動させ、電話用アプリケーションにより数字「０２８７１２３４・・・」へ電話発信すると共に、文字「Ｏｕｔｇｏｉｎｇ  ｔｏ  ＴＯＣＨＩＧＩ  ＯＴＡＷＡＲＡ」及び数字「０２８７１２３４・・・」を表示させる（図１７中の画面Ｄ８５）。
また、画面Ｄ１〜Ｄ８５に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ８１〜Ｄ８５に示す処理を行ってもよい。
【０１５２】
図１８は、英語表記による表示部２１に表示される画面遷移の他の例を示す図である。図１８に示す実施形態は、前述の図１０に示す実施形態に対応する。
制御部４５は、初期画面としての標準画面Ｄ１が表示された状態において、入力操作キー１４の操作により数字「５４３８８」が入力されると、入力操作キー１４に割り当てられる文字「ＪＧＤＵ」を入力させて領域２１１に表示させ、かつ、入力操作キー１４に割り当てられる数字「５４３８８」を入力させて領域２１２に表示させ、かつ、変換候補として文字「ｊｇｄｕ」を領域２１３に表示させる（図１８中の画面Ｄ９１）。
【０１５３】
画面Ｄ９１において、制御部４５は、入力操作キー１４の操作により文字「ＥＴＨＩＯＰＩＡ」が入力されると、入力操作キー１４に割り当てられる文字「ＥＴＨＩＯＰＩＡ」を入力させて領域２１１に表示させ、かつ、入力操作キー１４に割り当てられる数字「３３８４４４４４６６６７４４４２」を入力させて領域２１２に表示させ、かつ、変換候補として文字「ｊｇｄｕｅｔｈｉｏｐｉａ」を領域２１３に表示させる（図１８中の画面Ｄ９２）。
【０１５４】
そして、制御部４５は、領域２１１に入力された文字「ＪＧＤＵＥＴＨＩＯＰＩＡ」の一部が辞書テーブル４４ａに記憶されている所定の文字の少なくとも一部であるか否かを判断する。
【０１５５】
制御部４５は、領域２１１に入力された文字「ＪＧＤＵＥＴＨＩＯＰＩＡ」の一部が辞書テーブル４４ａに記憶されている所定の文字の少なくとも一部であると判断された場合には、領域２１３に表示される数字「５４３８８３３８４４４４４６６６７４４４２」のうち、「３３８４４４４４６６６７４４４２」の表示を解除する。さらに、制御部４５は、辞書テーブル４４ａにおいて文字「ＥＴＨＩＯＰＩＡ」に対応付けて記憶されている数字「２５１」を、領域２１３に表示されている数字「５４３８８」の先頭に表示させる（図１８中の画面Ｄ９３）。
また、画面Ｄ１〜Ｄ９３に示す処理は、標準画面が表示された状態で、入力操作キー１４の操作により文字が入力された場合以外であっても実行可能である。例えば、制御部４５は、単にエディタが起動している状態で、入力操作キー１４の操作により文字が入力された場合において、画面Ｄ９１〜Ｄ９３に示す処理を行ってもよい。
【０１５６】
このように上述した実施形態によれば、日本語以外の言語であっても本発明を適用することが可能となる。
【０１５７】
以上、本発明の実施形態について説明したが、本発明は上述した実施形態に制限されるものではなく、適宜変更が可能である。
また、上述した実施形態において、電子機器としての携帯電話機１について説明したが、本発明は電話機能を有していれば、他の電子機器にも適用可能である。例えば、本発明の電子機器は、電話機能を有する、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１５８】
１  携帯電話機（電子機器）
１１  操作部
１５  入力操作キー（操作キー）
２１  表示部
４４  メモリ（記憶部）
４５  制御部
【図１】
2011158896.tif 000003
【図２】
2011158896.tif 000004
【図３】
2011158896.tif 000005
【図４】
2011158896.tif 000006
【図５】
2011158896.tif 000007
【図６】
2011158896.tif 000008
【図７】
2011158896.tif 000009
【図８】
2011158896.tif 000010
【図９】
2011158896.tif 000011
【図１０】
2011158896.tif 000012
【図１１】
2011158896.tif 000013
【図１２】
2011158896.tif 000014
【図１３】
2011158896.tif 000015
【図１４】
2011158896.tif 000016
【図１５】
2011158896.tif 000017
【図１６】
2011158896.tif 000018
【図１７】
2011158896.tif 000019
【図１８】
2011158896.tif 000020
【国際調査報告】
2011158896.tif 000021
2011158896.tif 000022